(57)【要約】      （修正有）【課題】包装を簡単に解くことができる包装シート及び包装シートを用いた棒状飯包装体を提供する。【解決手段】包装シートは、外装フィルム２ａと二枚の内装フィルム２ｂ、２ｃの間に海苔１を挟みコーナーカットが施され、外装フィルム２ａは、外装フィルム２ａを二分する引き裂き手段を有している。棒状飯包装体は、包装シートを折り返し部Ａで外側に折り返し、包装シートの上に棒状飯Ｒを載せ、包装シートを棒状飯Ｒの周囲に巻き、包装シートの巻き終わり端Ｄをラベル４で貼着し、包装シートの両端部で棒状飯Ｒの両端面を覆い、棒状飯Ｒの両端面を覆っている引き裂き手段と包装シートの両端部をそれぞれのラベル５ａ、５ｂで貼着している。【選択図】図３
0003158550.tif 000002
【実用新案登録請求の範囲】
【請求項１】
外装フィルム２ａと二枚の内装フィルム２ｂ、２ｃの間に海苔１を挟みコーナーカットが施された棒状飯包装用の包装シートにおいて、外装フィルム２ａは、適宜の中程において棒状飯Ｒの長さ方向に沿った位置に外装フィルム２ａを二分する引き裂き手段を有し、二枚の内装フィルム２ｂ、２ｃは、適宜の中程において棒状飯Ｒの長さ方向に沿った位置に二枚の内装フィルム２ｂ、２ｃの内端どうしの重合部を有し、外装フィルム２ａと二枚の内装フィルム２ｂ、２ｃは、海苔１の周囲に二枚の内装フィルム２ｂ、２ｃの内端縁を除いて溶着部２ｄを有している包装シート。
【請求項２】
請求項１に記載の包装シートによって包装した棒状飯包装体であって、包装シート２を折り返し部Ａで外側に折り返し、包装シート２の上に棒状飯Ｒを載せ、包装シート２を棒状飯Ｒの周囲に巻き、包装シート２の巻き終わり端Ｄをラベル４で貼着し、包装シート２の棒状飯Ｒの長さ方向の両端部で棒状飯Ｒの両端面を覆い、棒状飯Ｒの両端面を覆っている外装フィルム２ａを二分する引き裂き手段と包装シート２の棒状飯Ｒの長さ方向の両端部をそれぞれのラベル５ａ、５ｂで貼着している棒状飯包装体。
【請求項３】
それぞれのラベル５ａ、５ｂは、止着部又は止着部と剥離部を有している請求項２に記載の棒状飯包装体。
【考案の詳細な説明】
【技術分野】
【０００１】  本考案は、棒状飯と海苔がフィルムで隔離された棒状飯の包装が行えて、手で棒状飯を直接掴むことなく、二分した包装シートを海苔に対して相対的に引き抜くことができる棒状飯包装体及びその包装シートに関するものである。
【背景技術】
【０００２】  従来、提案されている包装シート、棒状飯の包装及び包装の開封手順について、図４を参照して説明する。図４（ａ）に示すように、包装シート２１は、外装フィルム２ａと二枚の内装フィルム２ｂ、２ｃの間に海苔１を挟み、一方の内装フィルム２ｂの上に重なる耳片フィルム２ｅを有している。外装フィルム２ａは、適宜の中程において棒状飯Ｒの長さ方向に沿った位置に外装フィルム２ａを二分する引き裂き手段を有し、外装フィルム２ａを二分する引き裂き手段は、外装フィルム２ａの内面に溶着したカットテープ３ａとカットテープ３ａの両側に付与した引き裂き用切り込み３ｂからなる。二枚の内装フィルム２ｂ、２ｃは、適宜の中程において棒状飯Ｒの長さ方向に沿った位置に二枚の内装フィルム２ｂ、２ｃの内端どうしの重合部を有している。外装フィルム２ａと二枚の内装フィルム２ｂ、２ｃは、海苔１の周囲に二枚の内装フィルム２ｂ、２ｃの内端縁を除いて溶着部２ｄを有している。耳片フィルム２ｅは、一方の内装フィルム２ｂに溶着され両端が一方の内装フィルム２ｂからはみ出たはみ出し部を有している。【０００３】  棒状飯の包装は、図４（ａ）に示すように、耳片フィルム２ｅの上に棒状飯Ｒを載せ、図４（ｂ）に示すように、包装シート２１の巻き始め側を棒状飯Ｒの周囲に巻き、耳片フィルム２ｅの一方の内装フィルム２ｂからはみ出たはみ出し部で棒状飯Ｒの両端面を覆って棒状飯Ｒの上に重ね折りし、包装シート２１の巻き終わり側を棒状飯Ｒの周囲に巻き、包装シート２１の巻き終わり端Ｄをラベル４で貼着している。【０００４】  包装の開封手順は、図４（ｃ）に示すように、外装フィルム２ａを二分する引き裂き手段を引っ張って、ラベル４を分断し、外装フィルム２ａを二分する。図４（ｄ）に示すように、包装シート２１の巻き終わり端Ｄを展開して外側に引っ張ると、包装シート２１の巻き終わり側の外装フィルム２ａの略半分と一方の内装フィルム２ｃが一緒に引き剥がされ、海苔１の略半分が露出する。次いで、包装シート２１の巻き始め端Ｃを展開し、露出した海苔１の略半分を棒状飯Ｒの周囲に巻き、包装シート２１の巻き始め端Ｃを外側に引っ張ると、海苔１の略半分が露出するので棒状飯Ｒに既に巻いている海苔１の略半分の上に巻くというのがある（特許文献１参照）。
【先行技術文献】
【特許文献】
【０００５】
【特許文献１】  特開２０００−２７９１１１号公報
【考案の概要】
【考案が解決しようとする課題】
【０００６】  しかしながら、特許文献１記載は、包装シート２１の巻き始め端Ｃを展開し、露出した海苔１の略半分を棒状飯Ｒの周囲に巻き、包装シート２１の巻き始め端Ｃを外側に引っ張る際に、棒状飯Ｒの両端面を覆っている耳片フィルム２ｅの一方の内装フィルム２ｂからはみ出たはみ出し部と棒状飯Ｒの摩擦が大きく、棒状飯Ｒの両端面が耳片フィルム２ｅの一方の内装フィルム２ｂからはみ出たはみ出し部に引っ付いて引きちぎられ、二分した包装シート２１を海苔１に対して相対的に引き抜くことができない問題があった。【０００７】  本考案は、上記問題を解決できる棒状飯包装体及びその包装シートを明らかにするものである。
【課題を解決するための手段】
【０００８】  本考案は、外装フィルム２ａと二枚の内装フィルム２ｂ、２ｃの間に海苔１を挟みコーナーカットが施された棒状飯包装用の包装シートにおいて、外装フィルム２ａは、適宜の中程において棒状飯Ｒの長さ方向に沿った位置に外装フィルム２ａを二分する引き裂き手段を有し、二枚の内装フィルム２ｂ、２ｃは、適宜の中程において棒状飯Ｒの長さ方向に沿った位置に二枚の内装フィルム２ｂ、２ｃの内端どうしの重合部を有し、外装フィルム２ａと二枚の内装フィルム２ｂ、２ｃは、海苔１の周囲に二枚の内装フィルム２ｂ、２ｃの内端縁を除いて溶着部２ｄを有していることを特徴とする包装シートを提供することにある。【０００９】  本考案は、上記包装シートによって包装した棒状飯包装体であって、包装シート２を折り返し部Ａで外側に折り返し、包装シート２の上に棒状飯Ｒを載せ、包装シート２を棒状飯Ｒの周囲に巻き、包装シート２の巻き終わり端Ｄをラベル４で貼着し、包装シート２の棒状飯Ｒの長さ方向の両端部で棒状飯Ｒの両端面を覆い、棒状飯Ｒの両端面を覆っている外装フィルム２ａを二分する引き裂き手段と包装シート２の棒状飯Ｒの長さ方向の両端部をそれぞれのラベル５ａ、５ｂで貼着し、それぞれのラベル５ａ、５ｂは、止着部又は止着部と剥離部を有していることを特徴とする棒状飯包装体を提供することにある。
【考案の効果】
【００１０】  本考案の棒状飯包装体及び棒状飯包装体の開封手順について、図２及び図３を参照して説明する。棒状飯包装体は、図２（ａ）に示すように、包装シート２を折り返し部Ａで外側に折り返し、包装シート２の上に棒状飯Ｒを載せ、図２（ｂ）に示すように、包装シート２の巻き始め側を棒状飯Ｒの周囲に巻き、図２（ｃ）に示すように、包装シート２の巻き終わり側を棒状飯Ｒの周囲に巻き、包装シート２の巻き終わり端Ｄをラベル４で貼着している。次いで、図２（ｄ）、（ｅ）に示すように、包装シート２の棒状飯Ｒの長さ方向の両端部で棒状飯Ｒの両端面を覆い、棒状飯Ｒの両端面を覆っている外装フィルム２ａを二分する引き裂き手段と包装シート２の棒状飯Ｒの長さ方向の両端部をそれぞれのラベル５ａ、５ｂで貼着し、それぞれのラベル５ａ、５ｂは、止着部又は止着部と剥離部を有している。【００１１】  棒状飯包装体の開封手順は、図３（ａ）に示すように、剥離可能に構成したラベル５ａを包装シート２の棒状飯Ｒの長さ方向の端部から引き剥がし、ラベル５ａを引っ張って、ラベル４を分断し、外装フィルム２ａを二分する。図３（ｂ）に示すように、包装シート２の巻き終わり端Ｄを展開すると、棒状飯Ｒの両端面を覆っている包装シート２の棒状飯Ｒの長さ方向の両端部が自動的に棒状飯Ｒの両端面外方へ開く。包装シート２の巻き終わり端Ｄを外側に引っ張ると、包装シート２の巻き終わり側の外装フィルム２ａの略半分と一方の内装フィルム２ｃが一緒に引き剥がされ、海苔１の略半分が露出する。【００１２】  次いで、図３（ｃ）に示すように、露出した海苔１の略半分を棒状飯Ｒの周囲に巻きながら、包装シート２の折り返し端Ｂを展開すると、棒状飯Ｒの両端面を覆っている包装シート２の棒状飯Ｒの長さ方向の両端部が自動的に棒状飯Ｒの両端面外方へ開く。包装シート２の折り返し端Ｂを外側に引っ張ると、包装シート２の巻き始め側の外装フィルム２ａの略半分と一方の内装フィルム２ｂが一緒に引き剥がされ、海苔１の略半分が露出するので棒状飯Ｒに既に巻いている海苔１の略半分の上に巻くことができる。【００１３】  以上説明してきたように、棒状飯包装体の開封時、包装シート２の巻き終わり端Ｄ及び包装シート２の折り返し端Ｂを展開して外側に引っ張る際に、棒状飯Ｒの両端面を覆っている包装シート２の棒状飯Ｒの長さ方向の両端部が自動的に棒状飯Ｒの両端面外方へ開くので、棒状飯Ｒの両端面が包装シート２の棒状飯Ｒの長さ方向の両端部に引っ付いて引きちぎられることを防止することができる。従って、本考案の棒状飯包装体及びその包装シートは、棒状飯と海苔がフィルムで隔離された棒状飯の包装が行えて、手で棒状飯を直接掴むことなく、二分した包装シートを海苔に対して相対的に引き抜くことができる。
【図面の簡単な説明】
【００１４】
【図１】本考案の包装シートの（ａ）は正面図、（ｂ）は水平断面図。
【図２】本考案の棒状飯包装体の説明に係り、（ａ）は包装シートを折り返し部で外側に折り返し、包装シートの上に棒状飯を載せている状態を示した斜視図、（ｂ）は包装シートの巻き始め側を棒状飯の周囲に巻いている状態を示した斜視図、（ｃ）は包装シートの巻き終わり側を棒状飯の周囲に巻き、包装シートの巻き終わり端をラベルで貼着している状態を示した斜視図、（ｄ）は包装シートの棒状飯の長さ方向の両端部で棒状飯の両端面を覆っている状態を示した斜視図、（ｅ）は棒状飯の両端面を覆っている外装フィルムを二分する引き裂き手段と包装シートの棒状飯の長さ方向の両端部をそれぞれのラベルで貼着している状態を示した斜視図。
【図３】本考案の棒状飯包装体の開封手順の説明に係り、（ａ）はラベルを引っ張って、包装シートの巻き終わり端のラベルを分断している状態を示した斜視図、（ｂ）は包装シートの巻き終わり端を外側に引っ張っている状態を示した斜視図、（ｃ）は包装シートの折り返し端を外側に引っ張っている状態を示した斜視図。
【図４】従来、提案されている包装シート、棒状飯の包装及び包装の開封手順の説明に係り、（ａ）は耳片フィルムの上に棒状飯を載せている状態を示した斜視図、（ｂ）は包装シートで棒状飯を包装し、包装シートの巻き終わり端をラベルで貼着している状態を示した斜視図、（ｃ）は外装フィルムを二分する引き裂き手段を引っ張って、包装シートの巻き終わり端のラベルを分断している状態を示した斜視図、（ｄ）は包装シートの巻き終わり端を外側に引っ張って、海苔の略半分が露出している状態を示した斜視図。
【考案を実施するための形態】
【００１５】  本考案の棒状飯包装体及びその包装シートの実施するための形態について、図１、図２及び図３を参照して説明する。図１（ａ）、（ｂ）に示すように、包装シート２は、外装フィルム２ａと二枚の内装フィルム２ｂ、２ｃの間に海苔１を挟み四隅にコーナーカットが施されている。実施例の海苔１は、長さが約２１０ｍｍ、幅が約１００ｍｍを有している。
【００１６】  外装フィルム２ａは、四隅にコーナーカットが施され、二枚の内装フィルム２ｂ、２ｃは、それぞれ外側の二隅にコーナーカットが施されている。
【００１７】  外装フィルム２ａは、適宜の中程において棒状飯Ｒの長さ方向に沿った位置に幅が約１５ｍｍの外装フィルム２ａを二分する引き裂き手段を有している。
【００１８】  外装フィルム２ａを二分する引き裂き手段は、外装フィルム２ａの内面に溶着したカットテープ３ａとカットテープ３ａの両側に付与し長めにカットした引き裂き用切り込み３ｂからなり、包装シート２の巻き終わり端Ｄに貼着したラベル４を分断し、外装フィルム２ａを二分できる。
【００１９】  二枚の内装フィルム２ｂ、２ｃは、適宜の中程において棒状飯Ｒの長さ方向に沿った位置に二枚の内装フィルム２ｂ、２ｃの内端どうしの幅が約２０ｍｍの重合部を有している。
【００２０】  外装フィルム２ａと二枚の内装フィルム２ｂ、２ｃは、海苔１の周囲に二枚の内装フィルム２ｂ、２ｃの内端縁を除いて溶着部２ｄを有している。溶着部２ｄの棒状飯Ｒの長さ方向の長さは、棒状飯Ｒが略角柱体の場合は棒状飯Ｒの端面長辺の略半分である。
【００２１】  棒状飯包装体は、図２（ａ）に示すように、包装シート２を折り返し部Ａで外側に折り返し、包装シート２の上に棒状飯Ｒを載せ、図２（ｂ）に示すように、包装シート２の巻き始め側を棒状飯Ｒの周囲に巻き、図２（ｃ）に示すように、包装シート２の巻き終わり側を棒状飯Ｒの周囲に巻き、包装シート２の巻き終わり端Ｄをラベル４で貼着している。図２（ｄ）に示すように、外装フィルム２ａを二分する引き裂き手段を除いて包装シート２の棒状飯Ｒの長さ方向の両端部左右面を棒状飯Ｒの両端面中央方向に折り、棒状飯Ｒの両端面を覆っている。
【００２２】  次いで、図２（ｅ）に示すように、包装シート２の棒状飯Ｒの長さ方向の両端部上面で棒状飯Ｒの両端上面を覆い、包装シート２の棒状飯Ｒの長さ方向の両端部下面で棒状飯Ｒの両端下面を覆っている。
【００２３】  ラベル５ａは、上端部分に手で掴む部分を有し、棒状飯Ｒの端面を覆っている外装フィルム２ａを二分する引き裂き手段を止着部で貼着し、包装シート２の棒状飯Ｒの長さ方向の端部上面と包装シート２の棒状飯Ｒの長さ方向の端部下面を剥離部で貼着している。
【００２４】  ラベル５ｂは、棒状飯Ｒの端面を覆っている外装フィルム２ａを二分する引き裂き手段と包装シート２の棒状飯Ｒの長さ方向の端部上面を止着部で貼着し、包装シート２の棒状飯Ｒの長さ方向の端部下面を剥離部で貼着している。
【００２５】  それぞれのラベル５ａ、５ｂは、棒状飯Ｒの両端面と略同形同大であり、棒状飯Ｒの水平断面（切り口）の写真などを表示できる。それぞれのラベル５ａ、５ｂは、棒状飯Ｒが略円柱体など棒状飯Ｒの形状によっては、包装シート２の棒状飯Ｒの長さ方向の両端部下面の剥離部を設けなくても良い。
【００２６】  棒状飯包装体の開封手順は、図３（ａ）に示すように、剥離可能に構成したラベル５ａを包装シート２の棒状飯Ｒの長さ方向の端部から引き剥がし、ラベル５ａを引っ張って、ラベル４を分断し、外装フィルム２ａを二分する。図３（ｂ）に示すように、包装シート２の巻き終わり端Ｄを展開すると、棒状飯Ｒの両端面を覆っている包装シート２の棒状飯Ｒの長さ方向の両端部が自動的に棒状飯Ｒの両端面外方へ開く。包装シート２の巻き終わり端Ｄを外側に引っ張ると、包装シート２の巻き終わり側の外装フィルム２ａの略半分と一方の内装フィルム２ｃが一緒に引き剥がされ、海苔１の略半分が露出する。
【００２７】  次いで、図３（ｃ）に示すように、露出した海苔１の略半分を棒状飯Ｒの周囲に巻きながら、包装シート２の折り返し端Ｂを展開すると、棒状飯Ｒの両端面を覆っている包装シート２の棒状飯Ｒの長さ方向の両端部が自動的に棒状飯Ｒの両端面外方へ開く。包装シート２の折り返し端Ｂを外側に引っ張ると、包装シート２の巻き始め側の外装フィルム２ａの略半分と一方の内装フィルム２ｂが一緒に引き剥がされ、海苔１の略半分が露出するので棒状飯Ｒに既に巻いている海苔１の略半分の上に巻くことができる。
【００２８】  上記説明は、本考案を説明するためのものであって、実用新案登録請求の範囲に記載の考案に限定し、或いは範囲を減縮するように解すべきでない。又、本考案の各部構成は上記実施例に限らず、実用新案登録請求の範囲に記載の技術的範囲で種々の変形が可能であることは勿論である。
【産業上の利用可能性】
【００２９】  本考案は、棒状飯と海苔がフィルムで隔離された棒状飯包装体及びその包装シートに関するものである。
【符号の説明】
【００３０】  １  海苔
２、２１  包装シート
２ａ  外装フィルム
２ｂ、２ｃ  内装フィルム
２ｄ  溶着部
２ｅ  耳片フィルム
３ａ  カットテープ
３ｂ  引き裂き用切り込み
４、５ａ、５ｂ  ラベル
Ｒ  棒状飯
Ａ  折り返し部
Ｂ  包装シートの折り返し端
Ｃ  包装シートの巻き始め端
Ｄ  包装シートの巻き終わり端
【図１】
0003158550.tif 000003
【図２】
0003158550.tif 000004
【図３】
0003158550.tif 000005
【図４】
0003158550.tif 000006